(57)【要約】      （修正有）【課題】乳房根元側中心を肉厚にし、外周を肉薄にして、全容を略弧状形からなる女性の装身用パットにおいて、既製のブラジャーカップ下の内側に留め付け、当パットに乳房を乗せて装着し、垂れ始めた乳房を下側から支え上げ、圧迫感なく、乳房を前方、上方に膨出させて、自然な谷間を表現し、着用感の優れた装身用パットを提供する。【解決手段】ウォッシャブルフエルト製布地を利用し、乳房下側の全体を支える大きさの略扇状形の大小複数のパット芯材を形成し、各パット芯材の下端辺部中心を揃えて積層し肉厚とする、一方の外周縁部は大小パット芯材の段差形状に整合し肉薄に形成する、肉厚の積層部の各下端辺部中心に逆Ｖ字状欠切部を設け、欠切し、閉口して、表面側に窪みを形成し、パット本体の全容を略弧状形に成形する、当該パット本体を同布地の収納袋に収容し、縫着してなる装身用パットである。【選択図】図６
0003170829.tif 000002
【実用新案登録請求の範囲】
【請求項１】
ウォッシャブルフエルト製布地の積層によりなされた当該パットにおいて、乳房の下側の縦横を採寸し、略扇状形を形成する、縦横を縮小して、大小９枚のパット芯材を形成し、下辺部を揃えて垂直に積み重ねた肉厚の面を背面側とし、一方段差的に積層した緩斜面を底側とし、上段の略扇状形を表面とした、この三面を特徴とし、表面側に窪みをつけ、肉薄にした外周縁を略弓形状に形成し、パット全容を略弧状形にしたパット本体を同型の収納袋に収容してなる装身用パット。
【請求項２】
前記の背面において、同布地の９枚分を垂直に積み重ねた厚みを１、５ｃｍにする、この布地積層による厚みは当パット使用中に潰れることなく、乳房根元を１、５ｃｍの高さに持ち上げ維持出来ることを特徴とする装身用パット。
【請求項３】
請求項１の当パット表面側の窪みに関して、夫々の略扇状形の下端部のパット背面部分に逆Ｖ字形の欠切部を設け、欠切し、パット芯材の９枚分を一挙に糸で綴じて閉口することにより、表面側に窪みを形成し略弓形状にして、当パット全容を略弧状形にしたことを特徴とする装身用パット。
【考案の詳細な説明】
【技術分野】
【０００１】  本考案は既製のブラジャーのカップ下内側に取り付けて、垂れた乳房の下に当て支え、乗せるだけで無理なく、バストアップする装身用パットに関するものである。
【背景の技術】
【０００２】  従来の装身用パットは、一般的に、ブラジャーや衣類又は水着などに設けられたパット用のポケットに装着するか、または、衣類などの所定位置に縫着して使用されていた。
【０００３】  ブラジャーや衣類又は水着に装着又は縫着される装身用パットとしては、ポリウレタン発泡体、ポリエチレン発泡体、ポリ塩化ビニル発泡体等の合成樹脂発泡体を所定形状にモールド形成などにより形成したものや、これらの合成樹脂発泡体で形成した芯体の表面を適当なフエルトや布地等による表地で被覆したもの、あるいは不織布用繊維のファイバーフィルのシート体を芯材として、所定形状にモールド成型により成形したものが利用されている。
【０００４】  例えば、装身用パットが、ブラジャー用の乳房パットとして使用される場合は、当該ブラジャーのカップ部を形成する表地及び裏地を、所定形状に裁断するとともに、これら表地及び裏地の間に乳房パットを挟んだ状態で、当該表地及び裏地を縫製することによって装着されている。
【０００５】  また、上記ブラジャーなどの女性用衣服には、バストの整形性や保形性を高めるために、乳房パットなどの装身用パットの一部に、合成樹脂や形状記憶合金等からなるワイヤーボーンを、乳房パットなどと一緒に縫着することが行われている。
【０００６】  なお、フェルト繊維を立体形状に集めて接着固定したフェルト材があった（例えば、特許文献１参照）。
【０００７】  さらに、フェルト状の不織布から成る板片を段差形状に重ね積層したパットが提案されている（例えば、特許文献２参照）。
【０００８】  ブラジャーのカップにおいて、当該カップの裏側に複数の当て布を重ね合せて縫着したものが提案されている（例えば、特許文献３参照）。
【先行技術文献】
【特許文献】
【０００９】
【特許文献１】特公平４−３４６０号公報  ２頁  図１
【特許文献２】特公平７−７８２８４号公報  １頁  図４
【特許文献３】特開平８−１５８１１４号公報  ２頁  図３
【考案の概要】
【考案が解決しょうとする課題】
【００１０】  従来のモールドカップ等においては、乳房中央から下面の一部にのみ肉厚を有するものが主流であった、しかし加齢により垂下する乳房の状態は乳房前方と脇腹方向に向かい、この部分の贅肉と共に分散して、その形態補正が望まれているが、従来のパットでは乳房を押し付けるように作用し、柔らかいバストで、これを安定させることは困難であった。
【００１１】  ワイヤーを有する装身用パットは、女性の乳房を上方に上げたり、内側に寄せる機能を果すが、このワイヤーが女性の乳房を圧迫し、着用感を低下させる問題点があった。
【００１２】  従来の市販のパットは合成樹脂発泡体等の材質を使用し、略楕円形が多く、カップ内側のパット用ポケットに挿入され、バスト前方と下側のみ保型されるが、乳房を持ち上げることは出来ない、又、乳房下の大量の汗の処理・吸収が悪く、不快感があり、洗濯に弱い欠点が見られた。
【００１３】  本考案は、これらの問題を解決するためになされたものであって、垂れ始めた女性の乳房を、楽に、パットに乗せるだけで、バストアップ出来て、着用感よく、はじける胸元にすることを目的とし、個々の乳房の大きさに合せ、乳房下側をソフトな布地を積層して形づくったパットを既製のブラジャーカップ底に差し込んで、カップ底に沈み込む柔らかい乳房を底上げ状態で支え上げ、乳房根元を持ち上げてなる装身用パットを提供する。
【課題を解決するための手段】
【００１４】  本考案の装身用パットは素材として、軽く、ソフトで、肌ざわり良く、水に強く、縮まない、ほつれない、クッション性があり、柔らかい乳房を支えるに相応しいウォッシャブルフェルト製布地のみを使用した。
【００１５】  本考案のパット表面側として、柔らかい乳房を余すことなく、下から支えるために、乳房下側と乳房根元の曲線を採寸し、略扇状形を形成する、この表面形状を基準に縦幅横幅を夫々約５ｍｍづつ縮小し、大小９枚の略扇状形のパット芯材を前記布地で裁断する。
【００１６】  本考案のパットにより、乳房根元を持ち上げる事に関して、大小９枚の略扇状形の各下辺端中心を揃えて、順次、垂直に重ね、布地９枚の肉厚の積層面をつくり、乳房根元に密着し、圧迫感なく持ち上げるための背面側を形成した。
【００１７】  前記の背面側中央は肉厚く、両側と外周縁は肉薄に積層したパット本体において、乳房を安定良く乗せるために、９枚のパット芯材の背面側の下辺部中央に、逆Ｖ字形の欠切部を設け欠切し、欠切口を９枚分同時に閉口し、表面側に窪みを形成し、略弓形状にする、この窪みにより背面側も中心より両側に至る略弧状形となり、更に窪みにより、段差的に積層されたパット下側は緩斜面により乳房底側の丸みを整形し、底面側を形成することで、パット本体の全容は略弧状形になり、乳房を下から包み上げ、乳房の垂れを防ぐ、この三面からなるパット本体を同型同布地の収納袋に収容してなる装身用パットである。
【考案の効果】
【００１８】  前記の布地を使用の本案パットは、既製ブラジャーカップ底の内側に沿った湾曲と、当パットの底面の丸みと一致し整形されており、使用中のブラジャーカップと同サイズの当パットをカップ底に納めて、留め、当パットの表面に乳房を乗せて着用する、当布地はソフトタッチで、軽く、同サイズのブラジャーカップ内に挿入するも、圧迫感はなく、当布地９枚の積層で、潰れない剛さを持ち、乳房根元を上げる必要な厚さを維持できた。
【００１９】  本考案のパットは、乳房又は既製のブラジャーカップの採寸により大きさに合せて乳房を乗せる表面を形成したこと、又、パットの表面側に窪みを形成し、パット全容を略弧状形にしたことで、乳房が安定良く納まり、布地積層の剛さで底側を支えて、トップ側とサイド側の垂れを防いだ、更に、乳房根元に密着したパット背面の肉厚により、カップ内は乳房で満タン状態になり、乳房を上方・前方に押し上げ膨出し、自然なバストの谷間を表現出来た。
【００２０】  当布地は夏場の大量な汗を吸収し、洗濯に強く、更に当パット使用のブラジャーは圧迫感がなく、乳房は緩やかに自然に揺れて、血行が良くなり、女性特有の病気予防につながり、又、バストアップにより胸を自ずから張るようになり、背筋を伸ばして歩き、着用感に優れ疲れない等の効果が見られた。
【図面の簡単な説明】
【００２１】
【図１】  本考案に係わるパットの分解図及び平面図である。
【図２】  本考案のパット本体の斜視図である。
【図３】  本考案のパットの収納袋の表面シートの窪み形成の斜視図である。
【図４】  本考案のパット本体の収納袋の斜視図である。
【図５】  本考案のパットの完成図である。
【図６】  本考案の使用状態の断面図及びブラジャーに取付け図である。
【考案を実施するための形態】
【００２２】  本考案の装身用パットの実施状態を図面に基づいて説明する、図１は本考案に係わるパット本体と、パット収納袋を示す平面図であって、乳房又は既製ブラジャーカップの採寸により、乳房根元下側より乳頭下に至る長さを縦幅とし、乳房根元の左から右へ至る曲線を横幅の下辺として、当パット収納袋の表面シート１の略扇状形を形成した、この表面シート１を基準にし、縦幅横幅の外側１４・１８より夫々５ｍｍ間隔で縮小し、縦幅横幅が異なる９枚のパット芯材２〜１０を形成する、底面シート１６は表面シート１より縦横幅を５ｍｍ大きい略扇状形を形成し、底面シート１６と表面シート１の間に入る背面シート２４を弧状形に形成し、各平面図よりウォッシャブルフエルト製布地を裁断する。
【００２３】  図２のパット本体の構成において、各パット芯材の略扇状形２〜１０の下端部１３に逆Ｖ字状の欠切部１１を設け、欠切し、当パット材２の表面にパット芯材３〜１０を、各欠切口１１を揃えて順次積み重ね１９、各パット材の欠切口を糸１２を使用し９枚を同時に綴じ合せ、欠切口を閉口し、当パット芯材の表面側２に窪み１５を形成し、表面を弓形にする、同じく、肉厚部の下端部中心１９から肉薄部の両端側１８も窪みにより弓形２０となり略弧状形２１の背面を形成する、当該パット芯材２〜１０の積層の肉厚部中心下側１９から肉薄部の上端縁部１４と両端側縁部１８に至る外周縁は段差的形状の緩斜面２２となり、この丸みに沿って接着芯材で一部を加圧し、ズレを防ぎ、底面２２とし、パット本体２３全容を略弧状形に成形する。
【００２４】  前記のパット本体２３の収納袋２６において、図１の平面図の表面シート１背面シート２４底面シート２２より同布地を利用し構成する、図３の表面シート１においては、表面の下端辺部１３の欠切口１１の片方に切り込み２７を入れ、布地を重ねて閉口し、窪み１５を形成し、外周縁２８を略弓形に形成する、背面シート２４と底面シート１６は図１の各平面図の周りに５ｍｍの縫いしろをつけ、同布地を裁断し、背面シート２４の上側縁２０と表面シート１の下端縁部１３を縫合２０＋１３し、背面シート２４の下側縁２５と底面シート１６の下端部縁１７を縫合２５＋１７し、収納袋２６を成形する。
【００２５】  パット本体２３の収容において、パット本体２３を収納袋２６の裏側の背面シート２４に押し合せて納め、更に表面シート１側の窪み１５とパット本体２３の窪み１５とを、刺繍糸で一ケ所綴じ合わせ固定する、底面シート１６を下から被せて収納し、底面シート１６の外周縁２９と表面シートの外周縁２８を縫着し収納袋周辺をピンキング４０仕上げしてなる装身用パット３９の完成である図５。
【００２６】  本考案は以上の構造からなる、当パットを使用する時は図６、ワイヤー無し、保形用のパット無しポケット無し、特殊加工布なしの普通の既製のブラジャーカップに取り付けて使用する、ブラジャーアンダーライン３０上のカップ底の縁３１に両面テープ、又は縫い付けて留める、ブラジャーカップ底側の湾曲３８に沿って、当パット底面１６の緩斜面を密着し、カップトップ側３４も一ケ所留めて装着する、着用時においては、当パットの弧状の背面２４を乳房根元３２に密着させ、乳房を軽く持ち上げ、当パット表面シート１の窪み１５に乗せて、ブラジャー３３と共に着用する。
【００２７】  当パットのサイズに関して、使用中のブラジャーに取り付けて着用効果が上がる本案パットにおいて、現在の市販されているブラジャーと同じサイズのアンダーサイズ、７５ｃｍ・８０ｃｍ・８５ｃｍ、夫々のＡ・Ｂ・Ｃカップサイズ用の当パットを成形した、他のサイズに関しては、特注扱いで採寸し、個々のバストに合せた当パットも製作可能である。
【００２８】  当パットは左右同じものを一対として使用されるもので、ブラジャー製造元で加工時に本案のパットの厚さを維持し、アンダーラインに直付けで縫着し、垂れ乳房のアップ専用ブラジャー製品にも利用できる、更に、カップ付きの衣料であれば、当パットを取り付け使用可能であり、水着のブラ・カップにも使用できる。
【符号の説明】
【００２９】    １      表面シート
２〜１０    パット芯材
１１      逆Ｖ字状欠切部
１２      欠切口の綴じ合わせ位置
１３      下端部縁部（表面・各パット芯材）
１４      上端部縁部（表面・各パット芯材）
１５      欠切部閉口処理部（窪み）
１６      底面シート
１７      下端部縁部（底面）
１８      両側端部
１９      パット芯材の積層肉厚部の下端部中心
２０      略弓形状部及び背面シート上側縁
２１      パット芯材の厚みの略弧状部分（背面）
２２      パット芯材の段差的積層による緩斜面（底面）
２３      パット本体
２４      背面シート
２５      背面シート下側縁
２６      収納袋
２７      表面シート欠切口の切り込み位置・閉口部分
２８      表面シート外周縁
２９      底面シート外周縁
３０      ブラジャーアンダーライン（既製品）
３１      ブラジャーアンダーライン上のカップ底縁のパット留め位置
３２      乳房根元
３３      ブラジャー（既製品）
３４      ブラジャーカップトップ側のパット留め位置
３５      乳房上方
３６      乳房前方
３７      ブラジャーカップトップ側（既製品）
３８      ブラジャーカップ底側（既製品）
３９      本案の装身用パット
４０      パット収納袋の布地周辺のピンキング仕上げ
【図１】
0003170829.tif 000003
【図２】
0003170829.tif 000004
【図３】
0003170829.tif 000005
【図４】
0003170829.tif 000006
【図５】
0003170829.tif 000007
【図６】
0003170829.tif 000008
【手続補正書】
【提出日】平成23年7月6日(2011.7.6)
【手続補正１】
【補正対象書類名】実用新案登録請求の範囲
【補正対象項目名】全文
【補正方法】変更
【補正の内容】
【実用新案登録請求の範囲】
【請求項１】
バスト採寸に合せた略扇状形の下端辺部の中心部に欠切部を設け、当該略扇状形をウォッシャブルフエルト製布地を利用し、大小複数のパット材を裁断し、略扇状形の両側より外周縁部を肉薄に下端辺部を肉厚く、各パット材を大から小へ段差状に積層し、肉厚の積層側の欠切部分を一挙に綴じ合わせ閉口し、パット本体に窪みを設け、全形を略弧状形に成形したことを特徴としたパット本体を同型同布地による収納袋に収容し、周縁を縫合してなる装身用パット。